(57)【特許請求の範囲】
【請求項１】
突起体が出没自在に設けられており、その突起体が出没することによってＯＮ／ＯＦＦするスイッチ部材と、上端縁を中心として回動することによって前記突起体を出没させるスイッチング補助部材とを有するパチンコ機用検出スイッチであって、
板状物に係止させるためのクリップが、着脱自在に設けられているとともに、
そのクリップに、遊技球を前記スイッチング補助部材の前方へ導くための傾斜面が一体的に設けられていることを特徴とするパチンコ機用検出スイッチ。
【発明の詳細な説明】
【０００１】
【発明の属する技術分野】
本発明は、パチンコ機に設置する検出スイッチに関するものである。
【０００２】
【従来の技術】
通常のパチンコ機は、遊技盤の前面に、前面枠が片開き自在に設けられ、その前面枠の開放側の端縁と対向した遊技盤上方のミドル枠に、前面枠の開放状態を確認するための検出スイッチが組み込み設置される。また、遊技球タンクに、遊技球の貯留状態を確認するための検出スイッチが組み込み設置される。
【０００３】
【発明が解決しようとする課題】
しかしながら、パチンコ機が設置されるパチンコホールによっては、遊技球タンクに検出スイッチを設ける必要がない場合もある。同様に、パチンコホールによっては、前面枠の開放状態を確認するための検出スイッチを設ける必要がない場合もある。それゆえ、製造時に、すべてのパチンコ機に、遊技球タンクや前面枠に検出スイッチを別個に設けることは、きわめて不経済なことである。
【０００４】
本発明の目的は、上記従来のパチンコ機における問題点を解消し、必要な場合に遊技球タンクや前面枠等の任意の位置に設置することができる着脱自在な検出スイッチを提供することにある。
【０００５】
【課題を解決するための手段】
かかる本発明は、突起体が出没自在に設けられており、その突起体が出没することによってＯＮ／ＯＦＦするスイッチ部材と、上端縁を中心として回動することによって前記突起体を出没させるスイッチング補助部材とを有するパチンコ機用検出スイッチであって、板状物に係止させるためのクリップが、着脱自在に設けられているとともに、そのクリップに、遊技球を前記スイッチング補助部材の前方へ導くための傾斜面が一体的に設けられていることを特徴とするものである。
【０００６】
【発明の実施の形態】
以下、本発明に係るパチンコ機用検出スイッチ（以下、単に検出スイッチという）の一実施形態を、図面に基づいて詳細に説明する。
【０００７】
図１〜図５は、検出スイッチを示したものであり、検出スイッチ１は、フレーム部材２、スイッチ部材３、スイッチング補助部材４、押止部材５、係止部材６とによって組み立て形成されている。
【０００８】
フレーム部材２は、硬質の合成樹脂によって、中央部を開口した扁平な直方体状に一体成形されている。そして、左右の支持板７ａ，７ｂの上端際には、それぞれ、軸挿通孔８、軸挿通Ｌ字孔９が穿設されており、左右の支持板７ａ，７ｂを連結した上部フレーム１０の略中央には、制限部材である平板状の制限突起１１が、下方に突出するように設けられている。また、左側の支持板７ａには、スイッチ固定部１２が内側に突出するように設けられており、そのスイッチ固定部１２の内側の鉛直面には、固定ピン１３，１３が上下に突設されている。さらに、左側の支持板７ａの後端縁際には、固定片１４が外向きに突出するように設けられている。加えて、左右の支持板７ａ，７ｂの略中央の部分には、それぞれ、表裏を貫通するようにネジ挿通孔１５が穿設されている。
【０００９】
スイッチ部材３は、スイッチ（図示せず）を内蔵したケース１６が、硬質の合成樹脂によって縦長な直方体形状に形成されており、そのケース１６の前面の中央より下側に、横長な突起体１７が、バネ（図示せず）によって出没自在に突設されている。また、ケース１６の前面の中央よりやや上側には、金属製のスイッチ板１８が、上端の左右の折り返し部分を中心として、回動自在に枢着されている。そして、そのスイッチ板１８の下端際が、ケース１６に近づくように回動することによって、突起体１７がケース１６内に没入し、ケース１６に内蔵されたスイッチがＯＮ状態からＯＦＦ状態に切り替わるようになっている。また、ケース１６の後端際には、ケース１６の左右両面を貫通するように、係止孔１９，１９が穿設されている。加えて、ケース１６の上端面には、電源コードのコネクタ等を接続することができるようになっている。
【００１０】
スイッチング補助部材４は、硬質の合成樹脂によって縦長な長方形状に形成されている。そして、上端の左右に、係止突起２０，２０が突設されており、裏面の下端際に、水平な押止板２１が後方へ突出するように設けられている。
【００１１】
押止部材５は、硬質の合成樹脂によって一体的に形成されている。そして、左端縁に、平滑な押止面２２が設けられており、中央部分の右端縁際には、ネジ孔２３が穿設されている。また、上端の右端縁には、規制突起２４が前方へ突出するように設けられている。
【００１２】
係止部材６は、硬質の合成樹脂によって一体的に形成されており、クリップ２５と、誘導部２６とが、左右に連設されている。クリップ２５は、略逆Ｕ字状に屈曲した形状を有しており、後側の折り返し部分の下端際に、把持突起２７および押止突起２８が、それぞれ、内向きに突出するように、上下平行に設けられている。なお、把持突起２７の上部は、傾斜状になっており、押止突起２８の上部は、球面状になっている。また、クリップ２５の前側の右端縁際には、係合突起２９が外向きに突出するように設けられている。一方、誘導部２６の左端縁には、傾斜面３０が設けられており、後方から前方にかけて内側に傾斜した状態になっている。さらに、傾斜面３０の内側の端縁の後方には、固定長孔３１が鉛直に穿設されており、その固定長孔３１と隣接するように、ネジ孔３２が穿設されている。
【００１３】
検出スイッチ１は、スイッチング補助部材４の上端の左右に設けられた係止突起２０，２０を、それぞれ、フレーム部材２の支持板７ａ，７ｂに設けられた軸挿通孔８、軸挿通Ｌ字孔９に挿通させ、スイッチ部材３のケース１６の係止孔１９，１９に、フレーム部材２のスイッチ固定部１２の固定ピン１３，１３を挿通させ、位置決めされたスイッチ部材３を押止部材５の押止面２２によって固定するとともに、押止部材５の規制突起２４を軸挿通Ｌ字孔９に挿入させ、その状態で、押止部材５のネジ孔２３穿設部分とフレーム部材２の右側のネジ挿通孔１５穿設部分とを螺着する一方、フレーム部材２の固定片１４を係止部材６の固定長孔３１に挿入させて、係止部材６のネジ孔３２穿設部分とフレーム部材２の左側のネジ挿通孔１５穿設部分とを螺着することによって、一体的に組み付けられている。かかる如く組み付けられた検出スイッチ１は、係止部材６のネジ孔３２穿設部分とフレーム部材２の左側のネジ挿通孔１５穿設部分とを螺着しているネジを取り外すだけで、容易に係止部材６を取り外すことができる。
【００１４】
図５、図６は、検出スイッチ１を設置するパチンコ機を示したものであり、パチンコ機４１は、各種の入賞装置等を設置した遊技盤３３の前面に、前面枠３４が左端縁を中心として、片開き自在に取り付けられている。また、遊技盤３４の下側には、供給皿３５が突設されており、その供給皿３５の下側には、貯留皿３６が突設されている。貯留皿３６の中央には、遊技球流下孔３７が穿設されており、遊技球流下孔３７の前方には、左右にスライドすることにより遊技球流下孔３７を開閉する開閉レバー３８が設置されている。一方、パチンコ機４１の裏面の上端際には、ホールから供給された遊技球をストックしておくための遊技球タンク３９が設置されている。また、遊技球タンク３９の下側には、裏カバー４０が設置されており、その裏カバー４０の下側には、パチンコ機４１の作動内容を制御する制御装置４２が設置されている。
【００１５】
検出スイッチ１は、クリップ２５を取り外した状態で、図５の如く、遊技盤３３上方のミドル枠５４に、スイッチング補助部材４が閉じた前面枠３４と当接するように組み付け設置される。そして、スイッチ部材３に内蔵されたスイッチが、前面枠開閉報知ランプ（図示せず）、および電源と接続される。かかる如く設置された検出スイッチ１は、前面枠３４が開かれると、スイッチング補助部材４が上端縁を中心として前方へ回動することによって、スイッチ部材３に内蔵されたスイッチがＯＮし、前面枠開閉報知ランプを点灯させるようになっている。一方、前面枠３４が閉じられると、スイッチング補助部材４が上端縁を中心として後方へ回動することによって、スイッチ部材３に内蔵されたスイッチが開放し、前面枠開閉報知ランプを消灯させるようになっている。
【００１６】
また、検出スイッチ１は、クリップ２５を装着した状態で、クリップ２５を利用して、図６の如く、遊技球タンク３９の上端縁に、スイッチング補助部材４を遊技球タンク３９の内側に突出させるようにして設置される。そして、スイッチ部材３に内蔵されたスイッチが、制御装置４２、および電源と接続される。かかる如く設置された検出スイッチ１は、遊技球タンク３９内が遊技球で満たされている場合には、満たされた遊技球によって、スイッチング補助部材４が上端縁を中心として後方へ回動した状態を維持し、スイッチ部材３に内蔵されたスイッチが開放した状態を保つため、制御装置４２へ信号が送信されない。また、遊技球タンク３９内の遊技球が減少しすると、スイッチング補助部材４が上端縁を中心として後方へ回動することによって、スイッチ部材３に内蔵されたスイッチがＯＮし、制御装置４２へ「球切れ報知信号」を送信する。
【００１７】
なお、パチンコ機４１の遊技球タンク３９には、図７の如きコード把持部材４３を用いて電源コード４４を係止させることができるようになっている。コード把持部材４４は、軟質の合成樹脂によって一体的に形成されており、支持基板４５の前後に、把持片４６と固定片４７とが、互い違いになるように外向きに突設されている。把持片４６は、基端際で上向きに折り返されており、先端際が内向きに折り返されている。また、把持片４６の先端と対向した支持基板４５の上端際には、抜止め突起４８が把持片４６の先端側へ突出するように設けられている。一方、固定片４７は、基端際で下向きに折り返されており、下端際に内向きに突出するように抜止め段部４９が設けられている。そして、パチンコ機４１を運搬する際等には、図８の如く、固定片４７を遊技球タンク３９の上端縁に係止させ、把持片４６によってパチンコ機４１の電源コード４４を把持させる。このように、コード把持部材４３を使用することによって、パチンコ機４１の運搬作業者は、電源コード４４を絡ませることなく、非常に容易に運搬することができる。
【００１８】
また、パチンコ機４１を運搬する際には、貯留皿３６に、図９の如き固定部材５０を設置することによって、開閉レバー３８の損傷を防止することができるようになっている。固定部材５０は、軟質の合成樹脂によって、略コ字状に形成されており、下側折返し部５１の上面に、係合突起５２が突設されている。一方、上側折返し部５３の先端は、下向きに折り返されている。そして、パチンコ機４１を運搬する際等には、図１０の如く、下側折返し部５１の係合突起５２を、開閉レバー３８の下面に穿設された係合凹部（図示せず）に係合させ、上側折返し部５３を貯留皿３６の上端縁に係止させる。このように、固定部材５０を使用することによって、パチンコ機４１の運搬作業者は、開閉レバー３８の損傷を心配することなく、非常に容易に運搬することができる。
【００１９】
検出スイッチ１は、上記の如く、板状物に係止させるためのクリップ２５を設けた係止部材６が、着脱自在に設けられているため、係止部材６を外せば、容易に、前面枠３４の開放側の端縁と対向した遊技盤３３上方のミドル枠５４に組み付けて、前面枠３４の開放状態を確認するための検出スイッチとして利用することができるとともに、係止部材６を装着すれば、その係止部材６のクリップ２５によって遊技球タンク３９の上端の板状部分を挟持させることにより、遊技球の貯留状態を確認するための検出スイッチとして利用することができる。したがって、検出スイッチ１によれば、パチンコ機４１の製造時に、遊技球の貯留状態を確認するための検出スイッチや、前面枠３４の開放状態を確認するための検出スイッチを取り付ける必要がなくなるため、パチンコ機４１の非常に安価な製造が可能となる。
【００２０】
さらに、検出スイッチ１は、クリップ２５に、遊技球をスイッチング補助部材４の前方へ導くための傾斜面３０が設けられているため、遊技球タンク３９に設置した場合に、クリップ２５を遊技球タンク３９の上端の板状部分に取り付けるだけで、遊技球タンク３９内の遊技球が傾斜面３０によってスイッチング補助部材４の前面にスムーズに流下するようになり、遊技球タンク３９内の遊技球の充填状態を正確に反映した検出を行うことが可能となる。
【００２１】
加えて、検出スイッチ１は、クリップ２５が略Ｕ字状の折り返し構造を有するものであるので、遊技球タンク３９の上端縁ばかりでなく、任意の場所（板状物）に非常に容易に設置することができる上、損傷しにくい。また、検出スイッチ１は、クリップ２５の後側の折り返し部分の下端際に、把持突起２７および押止突起２８が、それぞれ、内向きに突出するように、上下平行に設けられているため、クリップ２５によって挟持される板状物に水平な複数の段差が設けられている場合には、把持突起２７および押止突起２８がそれらの水平な段差と噛み合うため、装着位置が上下にずれたりしない。加えて、把持突起２７の上部が傾斜状になっているとともに、押止突起２８の上部が球面状になっているので、クリップ２５を上方へ引き上げるだけで容易に取り外すことができる。
【００２２】
なお、本発明の検出スイッチの構成は、上記した実施形態の態様に何ら限定されるものではなく、フレーム部材、スイッチ部材、スイッチング補助部材、押止部材、係止部材等の材質、形状・構造等の構成を、本発明の趣旨を逸脱しない範囲で、必要に応じて適宜変更できる。
【００２３】
たとえば、検出スイッチは、フレーム部材、スイッチ部材、スイッチング補助部材、押止部材を別々に構成したものに限定されず、フレーム部材と押止部材が一体になったもの等でも良い。また、クリップと誘導部とを一緒にしたものに限定されず、クリップと誘導部とを別々に設けたものでも良い。加えて、クリップのみを金属によって形成することも可能である。
【００２４】
さらに、スイッチング補助部材が左右に突設された係止突起によって回動自在になったものに限定されず、スイッチング補助部材の上端に支軸ピンが挿通されており、その支軸ピンによって設置補助部材が回動自在になっているもの等でも良い。また、クリップは、単なる逆Ｕ字状のものに限定されず、バネを用いたバインダークリップ状のものでも良い。かかる構成を採用した場合には、より設置、着脱が容易なものとなる、というメリットがある。加えて、クリップをネジによって着脱自在に設けたものに限定されず、クリップに設けた係合突起を、フレーム部材等に設けた係合凹部、係合孔に係合させることによってクリップを着脱自在に設けたものや、クリップに設けた係合凹部、係合孔に、フレーム部材等に設けた係合突起を係合させることによってクリップを着脱自在に設けたもの等でも良い。
【００２５】
一方、スイッチ部材は、上記実施形態の如く、突起体が没入することによってＯＮ状態からＯＦＦ状態に切り替わるものに限定されず、突起体が没入することによってＯＦＦ状態からＯＮ状態に切り替わるものに変更することも可能である。
【００２６】
なお、本発明の検出スイッチは、前面枠の開放状態を確認するための検出スイッチや、遊技球の貯留状態を確認するための検出スイッチ以外の検出スイッチとして利用することも可能である。
【００２７】
【発明の効果】
請求項１に記載された検出スイッチは、板状物に係止させるためのクリップが、着脱自在に設けられているため、クリップを外せば、容易に、前面枠の開放側の端縁と対向した遊技盤上方のミドル枠に組み付けて、前面枠の開放状態を確認するための検出スイッチとして利用することができるとともに、クリップを装着すれば、そのクリップによって遊技球タンクの板状部分を挟持させることにより、遊技球の貯留状態を確認するための検出スイッチとして利用することができる。したがって、請求項１に記載された検出スイッチによれば、パチンコ機の製造時に、遊技球の貯留状態を確認するための検出スイッチや、前面枠の開放状態を確認するための検出スイッチを取り付ける必要がなくなるため、パチンコ機の非常に安価な製造が可能となる。
【００２８】
また、請求項１に記載された検出スイッチは、遊技球をスイッチング補助部材の前方へ導くための傾斜面が一体的に設けられているため、遊技球タンクに設置した場合に、クリップを遊技球タンクの板状部分に取り付けるだけで、遊技球タンク内の遊技球が傾斜面によってスイッチング補助部材の前面にスムーズに流下するようになり、遊技球タンク内の遊技球の充填状態を正確に反映した検出を行うことが可能となる。
【図面の簡単な説明】
【図１】検出スイッチの正面図（ａ）および右側面図（ｂ）である。
【図２】検出スイッチの前方斜視図である。
【図３】検出スイッチの後方斜視図である。
【図４】検出スイッチの分解斜視図である。
【図５】検出スイッチの使用状態を示す斜視図である。
【図６】検出スイッチの使用状態を示す斜視図である。
【図７】コード把持部材の前方斜視図である。
【図８】コード把持部材の使用状態を示す斜視図である。
【図９】固定部材の前方斜視図である。
【図１０】固定部材の使用状態を示す斜視図である。
【符号の説明】
１・・検出スイッチ、２・・フレーム部材、３・・スイッチ部材、４・・スイッチング補助部材、５・・押止部材、６・・係止部材、１１・・制御突起、１７・・突起体、２５・・クリップ、２６・・誘導部、３０・・傾斜面、４１・・パチンコ機。
【図１】
0004720049.tif 000002
【図２】
0004720049.tif 000003
【図３】
0004720049.tif 000004
【図４】
0004720049.tif 000005
【図５】
0004720049.tif 000006
【図６】
0004720049.tif 000007
【図７】
0004720049.tif 000008
【図８】
0004720049.tif 000009
【図９】
0004720049.tif 000010
【図１０】
0004720049.tif 000011